(57)【要約】【課題】放送受信装置及び放送システムを用いて放送番組を録画するに際して、外出先等の遠隔地から、録画予約をすることができる録画機能付き放送受信装置及び放送システムを提供する。【解決手段】放送センター８の放送衛星８ｂから送信されるテレビ放送番組の録画日時等の録画予約情報を出力する携帯電話６を設ける。携帯電話６から送信される録画予約情報を受信して録画予約受付センター７にデータ格納する。このデータに対応する登録番号データを重畳して放送センター８から送信させる。放送センター８に登録番号データに対応する発呼要求コマンドを含ませて送信させるように制御する。発呼要求コマンドを受けたＩＲＤ装置９からの発呼を録画予約受付センター７で受付け、その発呼に対応する録画予約データをＩＲＤ装置９に送信してハードディスク９ａを制御して録画予約制御を行い、その結果が携帯電話６に表示される。【選択図】　　　図１
2004096393.tif 000002
【特許請求の範囲】
【請求項１】
付加情報が重畳されて送信される放送信号を受信可能な放送受信装置において、
放送信号に重畳される付加情報のうち録画予約データを取得するように指示する信号を受信する録画予約データ取得指示信号受信手段と、
前記録画予約データ取得指示信号受信手段で受信した録画予約データ取得指示信号が自機に対するものか否か識別する識別手段と、
前記識別手段によって自機に対する録画予約データ取得指示信号であると識別されたとき、所定の録画予約受付システムに発呼して録画予約データ取得指示信号に係る録画予約データを取得する録画予約データ取得手段とを備え、
前記録画予約データ取得手段で取得した録画予約データに基づいて録画予約を設定することを特徴とする放送受信装置。
【請求項２】
録画予約が完了したとき、録画予約の設定が完了したことを通信回線を通じて所定の通信端末に通知する通知手段を備えることを特徴とする請求項１に記載の放送受信装置。
【請求項３】
通信端末から録画予約データを受け付ける録画予約受付センターと、
録画予約データ取得指示信号を放送信号に重畳して放送する放送センターとからなり、
前記録画予約受付センターは、所定の通信回線を通じて録画予約の対象機器を識別する識別データと共に録画予約データを受け付けるように構成され、
前記放送センターは、録画予約データに基づいて録画予約受付センター若しくは当該放送センターにて生成された録画予約データ取得指示信号を識別データと共に放送信号に重畳して放送するように構成され、
前記録画予約受付センターは、録画予約データ取得指示信号に基づいて発呼された録画予約データの取得要求に応答して、録画予約データ取得指示信号に対応する録画予約データを送出することを特徴とする放送システム。
【請求項４】
前記録画予約受付センターは、録画予約が完了したことを所定の通信端末に通知することを特徴とする請求項３に記載の放送システム。
【発明の詳細な説明】
【０００１】
【発明の属する技術分野】
本発明は、放送受信装置及び放送システムに関する。
【０００２】
【従来の技術】
一般に、同軸ケーブルまたは光ケーブル等で形成される有線伝送線路、衛星波や地上波等を用いて行われる無線伝送線路を用いて行われるテレビジョン放送は、これまで、アナログの映像信号をＡＭ変調すると共に音声信号をＦＭ変調した信号を所定の搬送周波数で送信するアナログ放送番組が主流であったが、近年になってアナログの映像信号と音声信号をデジタル化し、さらにデジタル圧縮した後のデータをＱＰＳＫ変調またはＱＡＭ変調等の変調方式を用いてデジタル変調し、この信号をＯＦＤＭ方式等のデジタル伝送方式を用いて送信するデジタル放送が開始された。
【０００３】
このデジタル放送は、半導体技術、画像と音声の信号圧縮技術の著しい進歩によって可能となったものであり、従前のアナログ放送に比べて、同一の伝送路の有する周波数帯域の範囲内に、より多くの番組プログラムを放送することが可能となり、またＯＦＤＭ方式等のデジタル伝送方式が採用されることによって、伝送信号劣化の少ない高品位な放送が行える等の多くの利点を有している。
【０００４】
かかる放送サービスは、その伝送路が、地上波伝送、衛星波伝送、ケーブル伝送等のように多種の伝送形態でもってサービス提供を行うことができ、当該のテレビ放送番組の信号に、様々な付加情報を含ませて有料テレビ番組放送の信号として送信し、これをユーザーが受信するときに、該受信された信号に含まれる付加情報に基づいて様々なサービスを提供する放送システムが提案されている。もっとも、放送信号に付加情報を重畳して送信することは、以前より行われていて、デジタル放送に限られたものではないがより多くの情報を短時間でできる点でデジタル放送が有利である。
【０００５】
例えば、上述のような放送システムの一形態であるＩＲＤシステムの具体的な構成は、例えば図３に示すように、ＩＲＤ装置１にモニタＴＶ２とＶＴＲ３と受信アンテナ５を接続して構成され、多種多様のユーザー情報に基づいて送信信号を生成するサービスセンター４ａから放送衛星４に向けて放送用信号を送信し、この放送用信号を受けた放送衛星４から放送電波が地上に向かって送信される。
【０００６】
そして、放送電波を受信アンテナ５で受け、その信号に対して所定の復号信号処理を施してビデオ信号に変換し、モニタＴＶ２に映像再生すると同時に、図示しない音響装置によって音声再生が行なわれる。
【０００７】
この場合、放送衛星４から送信される放送電波は、所定のアルゴリズムに基づく暗号化（スクランブル変調）が掛けられた信号とされ、テレビ放送番組の信号に、ユーザーＩＤ情報と課金情報を含ませて送信された有料テレビ番組放送の信号とされていて、そのままの状態で受信したときには正規の映像と音声が再現できない状態とされ、ＩＲＤ装置１による認証、即ち、送信電波に含まれるユーザーＩＤ情報と課金情報を受信して得られた情報に基づいて行われる課金期間の参照、課金チャンネルの参照、機器ＩＤが正規に登録されたものであるかの参照等々の制限条件が全て満たされたときに当該の暗号化が解除されて正規の映像と音声を再現させることができる。
【０００８】
従って、ＩＲＤシステムのユーザーは特定のチャンネルもしくは特定番組に対して課金許容の登録を電話回線を用いてサービスセンター４ａに連絡することによって好みの番組を視聴することができ、その視聴が予め定められた放送予定日時にて一義的に行われるようになっている。
【０００９】
また、正規に再現された映像と音声は、必要に応じてＶＴＲ３に記録することができ、留守録画しようとする場合には、ＩＲＤ装置１とＶＴＲ３の両方に対して放送電波による番組の開始時刻と終了時刻を録画予約することによって所望の録画を行うことができる。
【００１０】
【発明が解決しようとする課題】
従来の放送受信装置及び放送システムは、放送番組を録画する際には、ＶＴＲ等の記録機器に対して録画予約のセットをし、これと同時に放送受信装置を所定時刻に自動再生するようにセットする必要があり、その録画予約操作は、機器に設けられた操作ボタンを押操作することを要求されれているために、外出先から録画予約を行うことができないという難点があった。
【００１１】
そこで、本発明の目的は、放送システムを用いて放送番組を録画するに際して、外出先等の遠隔地から、録画予約をすることができる録画機能付きの放送受信装置及び放送システムを提供することにある。
【００１２】
【課題を解決するための手段】
前記課題を解決するために、本発明による放送受信装置及び放送システムは、次に記載するような特徴的な構成を採用している。
【００１３】
（１）付加情報が重畳されて送信される放送信号を受信可能な放送受信装置において、
放送信号に重畳される付加情報のうち録画予約データを取得するように指示する信号を受信する録画予約データ取得指示信号受信手段と、
前記録画予約データ取得指示信号受信手段で受信した録画予約データ取得指示信号が自機に対するものか否か識別する識別手段と、
前記識別手段によって自機に対する録画予約データ取得指示信号であると識別されたとき、所定の録画予約受付システムに発呼して録画予約データ取得指示信号に係る録画予約データを取得する録画予約データ取得手段とを備え、
前記録画予約データ取得手段で取得した録画予約データに基づいて録画予約を設定する放送受信装置。
【００１４】
（２）録画予約が完了したとき、録画予約の設定が完了したことを通信回線を通じて所定の通信端末に通知する通知手段を備える上記（１）の放送受信装置。
【００１５】
（３）通信端末から録画予約データを受け付ける録画予約受付センターと、
録画予約データ取得指示信号を放送信号に重畳して放送する放送センターとからなり、
前記録画予約受付センターは、所定の通信回線を通じて録画予約の対象機器を識別する識別データと共に録画予約データを受け付けるように構成され、
前記放送センターは、録画予約データに基づいて録画予約受付センター若しくは当該放送センターにて生成された録画予約データ取得指示信号を識別データと共に放送信号に重畳して放送するように構成され、
前記録画予約受付センターは、録画予約データ取得指示信号に基づいて発呼された録画予約データの取得要求に応答して、録画予約データ取得指示信号に対応する録画予約データを送出する放送システム。
【００１６】
（４）前記録画予約受付センターは、録画予約が完了したことを所定の通信端末に通知する上記（３）の放送システム。
【００１７】
【発明の実施の形態】
以下、本発明の実施の形態について図面を用いて詳細に説明する。本形態は、本発明を、録画機能付ＩＲＤ装置の録画制御装置に適用した例であり、その全体構成を図１を用いて説明する。録画機能付ＩＲＤ装置は、「携帯電話６、録画予約受付センター７、放送センター８、ＩＲＤ装置９」による基本機能に「電子メールによる通知機能」を付加して構成される。
【００１８】
携帯電話６は、有料テレビ放送番組の録画日時等の録画予約情報を出力する「携帯端末」であって、従来同様の音声通話機能を有すると共に、文字および／または画像を有するメール送受信機能を有し、かつＷＥＢの閲覧機能を有して構成されていて、比較的に大画面のディスプレイが設けられている。
【００１９】
この携帯電話６に対して無線局（不図示）を介して送受信（第１ステップａ）することができる録画予約受付センター７が設けられ、この録画予約受付センター７は、携帯電話６から送信された録画予約情報の受信を行うものある。
【００２０】
録画予約受付センター７からの制御出力（第２ステップｂ）によって放送システム８が制御され、発呼信号が重畳された送信信号が送信アンテナ８ａを用いて送信アンテナ８ａから放送衛星８ｂに向けて送信され、この放送用信号を受けた放送衛星８ｂから放送電波が地上に向かって送信される。
【００２１】
放送衛星８ｂからの放送電波を受信アンテナ（不図示）を介して受信（第３ステップｃ）したＩＲＤ装置９は、当該の予約データに基づく録画制御を録画機器（ハードディスク９ａ）に対して行うように構成されると共に、このＩＲＤ装置９からの入出力制御信号（第４ステップｄ）のラインが録画予約受付センター７に接続されて構成されている。
【００２２】
このような基本構成を有する録画予約受付センター７の詳細は、携帯電話６から発信される録画予約情報を受信して格納録画予約データにすると共に、放送システム８に登録番号データに対応する発呼要求コマンドを含ませて放送システム８から送信させるように制御し、該録画予約情報に対応する登録番号データを放送システム８から重畳して送信される信号に基づいてＩＲＤ装置９から発呼させるように制御し、かつ、当該発呼要求コマンドを受けたＩＲＤ装置９からの発呼を受付け、該受付けた発呼に対応する前記格納録画予約データをＩＲＤ装置９に送信してハードディスク９ａ（録画機器）を制御するものである。
【００２３】
以上のように構成された本形態の録画機能付ＩＲＤ装置の録画制御装置の動作を図２を用いて説明する。図２は、「携帯電話６、録画予約受付センター７、放送システム８、ＩＲＤ装置９」のそれぞれの構成部に基づく動作ステップを上下方向に並べ、その各動作ステップの相互連携を水平方向の線で結んで表現した動作図である。
【００２４】
また、図１および図２に示す第１ステップａ（ステップａ１〜ステップａ３）、第２ステップｂ、第４ステップｄ（ステップｄ１〜ステップｄ３）および第５ステップｅのそれぞれはモデム等を介した有線回線もしくは無線基地局または無線中継局を介した無線回線を用いて行われ、第３ステップｃは、放送システム８の放送衛星８ｂから送信される衛星電波をＩＲＤ装置９で受信する放送回線を用いて行われるものである。
【００２５】
先ず、携帯電話６にてステップ６−１が実行され、録画予約受付センター７に設けられた録画予約のためのページにステップａ１としてアクセスされ、これを受けた録画予約受付センター７の側でステップ７−１が実行され、録画予約画面をステップａ２として携帯電話６に送信し、これを受けた携帯電話６は、そのディスプレイに録画予約の一覧表を表示する。
【００２６】
携帯電話６ではその表示を見ながら録画のための予約操作を行いステップａ３としてそのデータを録画予約受付センター７に送信する。このデータは、一覧表示から所望のものを選択したり、放送のチャンネル番号を直接にテンキー入力し、次に録画開始時刻をテンキー入力し、次に録画終了時刻をテンキー入力することによって生成される。
【００２７】
このようなステップａ３として録画予約の指定を受けた録画予約受付センター７は、真正な機器所有者からのものであるか否かを、受信したユーザーＩＤと自身の有するデータベースの内容と比較することによって認証し、真正な録画予約であった場合に、その内容を第２ステップｂとして放送システム８に出力する。
【００２８】
この第２ステップｂは、指定されたＩＲＤ装置９に発呼要求コマンドを送信するもので、このコマンドを第３ステップｃとして受信したＩＲＤ装置９は、「発呼要求コマンドの受信内容」に基づいて、録画予約受付センター７に対して発呼動作（ステップｄ１）を行い、録画予約受付センター７に既に格納されている予約内容、即ち格納録画予約データをステップ７−２からステップｄ２としてＩＲＤ装置９に送信する。
【００２９】
なお、発呼要求コマンドは、録画予約受付センター７で生成しても良いし、また、録画予約受付センター７から受けた録画予約データに基づいて放送システム８で生成しても良い。ただし、この場合、録画予約データと発呼要求コマンドの対応は録画予約受付センター７で管理される。
【００３０】
格納録画予約データを受信したＩＲＤ装置９は、重畳された録画予約データが自己に対するものであると識別するとその内容に基づいてハードディスク９ａを制御して所定の予約開始時刻に達したときに録画開始し、予約終了時刻に録画終了する。
【００３１】
録画予約が完了すると、録画制御の状態、即ち予約の結果がＯＫ／ＮＧのいずれであるかがステップｄ３として録画予約受付センター７に送信され、録画制御の結果を電子メールの形で第５ステップｅとして携帯電話６に送信し、これを受けた携帯電話６のディスプレイにステップ６−２として電子メールを受け取ることによって一連の予約録画動作が完了する。
【００３２】
一連の予約録画動作の制御の結果は、録画予約受付センター７を介さずにＩＲＤ装置９から直接に携帯電話６に送信するようにしても良い。
【００３３】
この場合、ＩＲＤ装置９においては録画予約に関するデータは放送センター８からの衛星電波受信によって取得され、当該データに基づく発信しか行っておらず、着信することは無いので第３者からの不正アクセスによって不正な課金や不正な録画予約が行われることが無く確実にセキュリティを保持できる。
【００３４】
また、セキュリティ（不正アクセスの防止）の機能は、サーバ（録画予約受付センター７）の側で受け持たれるのでＩＲＤ装置９の負担を少なくすることができる。
【００３５】
なお、本形態の録画機能付ＩＲＤ装置の録画制御装置は、有料テレビ番組放送の信号が放送衛星８ｂから送信される例であるが、ＶＨＦやＵＨＦの地上波であったり、ケーブルＴＶシステムに見られるような同軸線や光伝送線等の有線伝送線路を用いて送信されるように構成してもよい。
【００３６】
また、ＩＲＤ装置９に接続される録画機器は、ＩＲＤ装置９に内蔵型もしくは外付け型のハードディスク９ａの例のみならず、磁気テープ、光ディスク等の記録媒体に記録し得るように構成されるＶＴＲや、ＣＤ−Ｒ、ＣＤ−ＲＷ、ＤＶＤ−ＲＡＭ、ＤＶＤ−Ｒ、ＤＶＤ−ＲＷを用いた光ディスクドライブで構成してもよい。
【００３７】
さらに、ＩＲＤ装置９の指令によって録画予約受付センター７を介して実行される「通知機能」は、予約録画のセットが完了した旨の通知であったり、これに追加して録画予約による録画が完了した旨の通知を行ってもよく、その「通知機能」の具体例としては電子メールによる文字通知の場合のみならず、音声メッセージによる通知であってもよいことは勿論であり、その通知先は、録画予約の指令をした携帯電話６の場合のみならず、予め発信番号が指定された電話機、パソコン、携帯端末機器に対して電話回線またはＬＡＮ回線を介して電子メールおよび／または音声メッセージで通知するようにしてもよいことは勿論である。
【００３８】
なお、前述の形態は、放送信号に暗号化処理が施されている例としてＩＲＤ装置及び放送システムを説明したが、暗号化されていない放送信号にも本発明を適用可能であることは勿論である。
【００３９】
以上、放送受信装置及び放送システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４０】
【発明の効果】
以上の説明で明らかなように、本発明による録画機能付きの放送受信装置及び放送システムは、携帯電話等の携帯端末から録画予約の指令を行うことができるので使い勝手を極めて向上させることができ、予約制御のためのデータ処理を主として録画予約受付センター７で実行しているので放送受信装置におけるデータ処理の負担が軽減される。
【図面の簡単な説明】
【図１】本発明の一実施の形態による放送受信装置の全体構成を示すブロック回路図である。
【図２】図１に示される放送受信装置の機能を説明するための動作図である。
【図３】従来の放送受信装置及び放送システムの一例を示すブロック回路図である。
【符号の説明】
１，９　ＩＲＤ装置
２　モニタＴＶ
３　ＶＴＲ
４　放送衛星
５　受信アンテナ
６　携帯電話
７　録画予約受付センター
８　放送センター
８ａ　送信アンテナ
８ｂ　放送衛星
９ａ　ハードディスク
【図１】
2004096393.tif 000003
【図２】
2004096393.tif 000004
【図３】
2004096393.tif 000005